(57)【要約】【課題】  球払出装置の後方から、その後構成体を透して球通路を流れる球の状況や払出部材の動きを電動アクチュエータによって阻害されることなく容易に視認することができる遊技機を提供する。【解決手段】  遊技機の後側部に対し球タンク１６５の球貯留部、タンクレール１７１のレール通路及び球払出装置２１０の球通路２１２が連通状をなして配置された遊技機であって、球払出装置２１０の装置本体２１１は、少なくとも前側の前構成体２１１ａと、後側の後構成体２１１ｃとを備えて構成されている。【選択図】        図１２
2010099517.tif 000002
【特許請求の範囲】
【請求項１】
遊技機の後側部に対し球タンクの球貯留部、タンクレールのレール通路及び球払出装置の球通路が連通状をなして配置された遊技機であって、
前記球払出装置の装置本体は、少なくとも前側の前構成体と、後側の後構成体とを備えて構成されていることを特徴とする遊技機。
【発明の詳細な説明】
【技術分野】
【０００１】
この発明は、遊技機に関し、詳しくは、球（パチンコ球）を用いて遊技を行う遊技機に関する。
【背景技術】
【０００２】
従来、この種の遊技機（例えば、パチンコ機）において、遊技機の後側部に対し球タンクの球貯留部、タンクレールのレール通路及び球払出装置の球通路が連通状をなして配置されているのが一般的である。
また、球払出装置（球払出ユニット）において、その装置本体（ユニット本体）が球通路を区画形成する前後複数の構成体によって構成され、その構成体の内部に球通路の球を所定方向に払い出す払出部材が組み付けられてユニット状に構成されたものが知られている。
また、球払出装置の保守・点検等を容易化するために、装置本体の前後複数の構成体をそれぞれ透明な合成樹脂材によって形成し球通路の球の流れを視認可能に構成したものがある。
また、遊技機の各部を構成する各種のユニットにおいて、ユニット内の球通路を流れる球を外部から視認可能にするために、そのユニット本体を構成する複数の構成体を透明な合成樹脂材によって形成したものが知られている（例えば、特許文献１参照）。
【先行技術文献】
【特許文献】
【０００３】
【特許文献１】特開２００１ー３２７７４１号公報
【発明の概要】
【発明が解決しようとする課題】
【０００４】
ところで、球払出装置（球払出ユニット）において、装置本体の前後複数の構成体を透明な合成樹脂材によってそれぞれ形成し、その後構成体の後側に払出部材を駆動する電動アクチュエータ（例えば払出モータ）を装着すると、その電動アクチュエータによって、球通路の球や払出部材が隠され、当該部分における球の流れや払出部材の動きが視認できない、という不具合がある。
そこで、装置本体の前後複数の構成体のうち、前構成体の前側に対し払出部材を駆動する電動アクチュエータを装着することが考えられる。
しかしながら、前構成体の前側に電動アクチュエータを装着した場合、その電動アクチュエータあるいは同電動アクチュエータを取り付けるための金属製の取付板（ブラケット）が前構成体を透して目視される。
このため、球通路内の球の流れ状態を視認する際、その球通路内の球と共に電動アクチュエータや金属製の取付板が目視され、これによって球通路内の球の流れ状態を視認しづらくなる、という問題点が発生する。
【０００５】
この発明の目的は、前記問題点に鑑み、球払出装置の後方から、その後構成体を透して球通路を流れる球の状況や払出部材の動きを電動アクチュエータによって阻害されることなく容易に視認することができる遊技機を提供することである。
【課題を解決するための手段】
【０００６】
前記目的を達成するために、請求項１の発明に係る遊技機は、
「遊技機の後側部に対し球タンクの球貯留部、タンクレールのレール通路及び球払出装置の球通路が連通状をなして配置された遊技機であって、
前記球払出装置の装置本体は、少なくとも前側の前構成体と、後側の後構成体とを備えて構成され、
前記前構成体と前記後構成体との間には球通路が形成されるとともに、その球通路の球を所定方向に払い出す払出部材が組み付けられてユニット状に構成され、
前記後構成体は前記球通路を流れる球を後方から視認可能に透明な合成樹脂材によって形成され、
前記前構成体は不透明な合成樹脂材によって形成され、同前構成体の前側には前記払出部材を駆動する電動アクチュエータが装着されていることを特徴とする遊技機。」を要旨とする。
【０００７】
前記構成において、球払出装置の後方から、透明な後構成体を透して球通路の球の流れ状況や払出部材の動きを容易に視認することができる。
また、前構成体の前側に払出部材に対応する電動アクチュエータが装着されることで、電動アクチュエータによって、球通路の球や払出部材が隠されることがないため、当該部分における球の流れや払出部材の動きを容易に視認することができる。
しかも、前構成体は不透明な合成樹脂材によって形成されるとともに、その前側に電動アクチュエータが装着され、これによって電動アクチュエータが球払出装置の後方から目視不能に隠蔽される。このため、球払出装置の後方から電動アクチュエータが目視されることがなく、後構成体を透して球通路内の球の流れ状況を容易に視認することができる。
【０００８】
請求項２の発明に係る遊技機は、
「請求項１に記載の遊技機であって、
前構成体と後構成体との間には、透明な合成樹脂材によって形成されかつ球通路を前後複数列に区画する中間構成体が配設されていることを特徴とする遊技機。」を要旨とする。
したがって、前後複数列に区画された球通路の各球を後構成体及び中間構成体を透してそれぞれ容易に視認することができる。
【０００９】
請求項３の発明に係る遊技機は、
「請求項１又は２に記載の遊技機であって、
球払い出しに関する光学式検出器を備え、
前記光学式検出器の光検出部分が前構成体の前側に配置されていることを特徴とする遊技機。」を要旨とする。
ここで、球払い出しに関する光学式検出器による検出としては、電動アクチュエータを駆動源とする払出部材の作動不良の検出、払出部材の作動に対応する球の払出個数の検出、球通路の球の有無の検出等がある。
前記構成において、球払出装置の装置本体の後方から後構成体を透して球通路に入射する光は、前構成体において遮光される。このため、球払出装置の後方からの光によって光学式検出器が誤動作される不具合を防止することができる。
【００１０】
請求項４の発明に係る遊技機は、
「請求項３に記載の遊技機であって、
払出部材は、電動アクチュエータを駆動源とする回転軸を中心として回転されることで球通路の球を所定方向に払い出すとともに、
光学式検出器は、前記回転軸の軸上に設けられた被検出体を光検出部分において検出可能に構成されていることを特徴とする遊技機。」を要旨とする。
したがって、球払出装置の装置本体の後方から後構成体を透して球通路に入射する光は、前構成体において遮光される。このため、球払出装置の後方からの光によって光学式検出器が誤動作される不具合を防止することができる。この結果、払出部材の回転軸の軸上に設けられた被検出体の回転状況（例えば、払出部材の回転不良、あるいは払出部材の回転角度及び回転数に対応する球の払出個数等）を正確に検出することができる。
【００１１】
請求項５の発明に係る遊技機は、
「請求項１〜４のいずれか一項に記載の遊技機であって、
球タンクの球貯留部及びタンクレールのレール通路の球を後方から視認可能に、前記球タンク及びタンクレールの少なくとも後壁部は透明な合成樹脂材によって形成されていることを特徴とする遊技機。」を要旨とする。
したがって、球タンクの球貯留部、タンクレールのレール通路及び球払出装置の球通路を連続あるいは断続的に流れる球の状況を、球タンク及びタンクレールの各後壁部、あるいは球払出装置の後構成体を透してそれぞれ視認することができる。このため、球貯留部、レール通路及び球通路内で発生する球噛み、球詰まり等の不具合を容易に発見することができ、不具合の解消作業が容易となる。
【発明の効果】
【００１２】
この発明によれば、球払出装置の装置本体の前構成体を不透明な合成樹脂材によって形成するとともに、その前側に電動アクチュエータを装着することで、その電動アクチュエータを球払出装置の後方から目視不能に隠蔽することができる。
この結果、電動アクチュエータによって阻害されることなく、球払出装置の後方から後構成体を透して球通路内の球の流れ状況を容易に視認することができる。
【図面の簡単な説明】
【００１３】
【図１】この発明の実施例に係る遊技機の外枠の一側に本体枠が開かれその本体枠の一側にガラス扉が開かれた状態を示す斜視図である。
【図２】同じく遊技機の前側全体を示す正面図である。
【図３】同じく遊技機の後側全体を示す背面図である。
【図４】同じく遊技機全体を斜め右上後方から示す斜視図である。
【図５】同じく遊技機の本体枠に各種装置及び部材が装着された状態を左下後方から示す斜視図である。
【図６】同じく遊技機の本体枠と遊技盤とを分離して斜め右上前方から示す斜視図である。
【図７】同じく遊技機の後側上部を拡大して示す部分背面図である。
【図８】同じく図７のＶＩＩＩ−ＶＩＩＩ線に基づく側断面図である。
【図９】同じく図７のＩＸ−ＩＸ線に基づく側断面図である。
【図１０】同じく本体枠単体を斜め右上後方から示す斜視図である。
【図１１】同じく遊技機の本体枠に各種部材が組み付けられた状態を斜め右上後方から示す斜視図である。
【図１２】同じく球払出装置を示す斜視図である。
【図１３】同じく球払出装置を後方から示す背面図である。
【図１４】同じく図１３のＸＩＶーＸＩＶに基づく球払出装置の縦断面図である。
【図１５】同じく図１３のＸＶーＸＶに基づく球払出装置の横断面図である。
【図１６】同じく遊技盤後側に装着された主制御基板ボックスと後カバー部材との関係を示す斜視図である。
【図１７】同じく図１６のＸＶＩＩーＸＶＩＩ線に基づく断面図である。
【図１８】同じく下皿用球誘導体を後方から示す斜視図である。
【図１９】同じく下皿用球誘導体を前方から示す斜視図である。
【図２０】同じく下皿用球誘導体に配設された作動体と光学式検出器との関係を示す説明図である
【図２１】同じく下皿用球誘導体の誘導路の球によって作動体が作動された状態を示す説明図である。
【発明を実施するための形態】
【００１４】
次に、この発明を実施するための最良の形態を実施例にしたがって説明する。
【００１５】
［実施例］
図１は遊技機の外枠の一側に本体枠が開かれその本体枠の一側にガラス扉が開かれた状態を示す斜視図である。図２は遊技機の前側全体を示す正面図である。図３は遊技機の後側全体を示す背面図である。図４は遊技機全体を斜め右上後方から示す斜視図である。図５は遊技機の本体枠に各種装置及び部材が装着された状態を左下後方から示す斜視図である。図６は遊技機の本体枠と遊技盤とを分離して斜め右上前方から示す斜視図である。図７は遊技機の後側上部を拡大して示す部分背面図である。図８は図７のＶＩＩＩ−ＶＩＩＩ線に基づく側断面図である。図９は図７のＩＸ−ＩＸ線に基づく側断面図である。図１０は本体枠単体を斜め右上後方から示す斜視図である。図１１は遊技機の本体枠に各種部材が組み付けられた状態を斜め右上後方から示す斜視図である。図１２は球払出装置を示す斜視図である。図１３は球払出装置を後方から示す背面図である。図１４は図１３のＸＩＶーＸＩＶに基づく球払出装置の縦断面図である。図１５は図１３のＸＶーＸＶに基づく球払出装置の横断面図である。図１６は遊技盤後側に装着された主制御基板ボックスと後カバー部材との関係を示す斜視図である。図１７は図１６のＸＶＩＩーＸＶＩＩ線に基づく断面図である。図１８は下皿用球誘導体を後方から示す斜視図である。図１９は下皿用球誘導体を前方から示す斜視図である。図２０は下皿用球誘導体に配設された作動体と光学式検出器との関係を示す説明図である。図２１は下皿用球誘導体の誘導路の球によって作動体が作動された状態を示す説明図である。なお、説明の便宜上、遊技機において遊技者側を前、反対側を後として説明する。
【００１６】
［遊技機の概要について］
図１〜図４に示すように、遊技機としてのパチンコ機は、外枠１０、本体枠３０、ガラス扉８０、遊技盤１２０等を備えて構成されている。
外枠１０は、上下左右の枠材によって縦長四角形の枠状に形成され、同外枠１０の前側下部には、本体枠３０の下面を受ける下受板１５を有している。
外枠１０の前面の片側には、本体枠開閉用ヒンジ機構２０によって本体枠３０が前方に開閉可能に装着されている。
【００１７】
［本体枠について］
図１、図５及び図６に示すように、本体枠３０は、前枠体３５、遊技盤装着枠１００及び機構装着体１６０を合成樹脂材によって一体成形することで構成されている。
図１に示すように、本体枠３０の前枠体３５は、外枠１０前側の下受板１５を除く外郭形状に対応する大きさの矩形枠状に形成されている。そして、前枠体３５の片側の上下部には、外枠１０側の外枠側ヒンジ具２１に対応する本体枠側ヒンジ具２２が固定され、その本体枠側ヒンジ具２２において、外枠１０の片側の上下部に固定された外枠側ヒンジ具２１にヒンジピンとヒンジ孔によって開閉回動可能に装着されている。すなわち、外枠側ヒンジ具２１、本体枠側ヒンジ具２２、ヒンジピン及びヒンジ孔によって本体枠開閉用ヒンジ機構２０が構成されている。
【００１８】
図６と図１０に示すように、前枠体３５の前側において、遊技盤装着枠１００よりも下方に位置する前枠体３５の前下部領域の一側寄りにはスピーカボックス部５０が一体に形成され、そのスピーカボックス部５０の前側開口部には、同開口部を塞ぐようにしてスピーカ装着板１０７が装着されている。そして、スピーカ装着板１０７にはスピーカ１０９が装着されている。
また、図６に示すように、前枠体３５前面の下部領域内において、その上半部分には発射レール１００が傾斜状に装着されている。
また、図１と図２に示すように、前枠体３５前面の下部領域内の下半部分には下部前面板４４が装着されている。そして、下部前面板４４の前面の略中央部には、下皿４５が設けられ、片側寄りには操作ハンドル４６が設けられている。
【００１９】
［ガラス扉について］
図１と図２に示すように、前枠体３５の前面の片側には、その前枠体３５の上端から下部前面板４４の上縁にわたる部分を覆うようにしてガラス扉８０が扉開閉用ヒンジ機構７０によって前方に開閉可能に装着されている。ガラス扉８０のヒンジ機構７０と反対側の自由端側の後側には、後述する施錠装置９０の扉施錠フック９６に係脱可能に係合してガラス扉８０を閉じ状態に施錠する閉止具８９が設けられている。
また、ガラス扉８０の略中央部には、後述する遊技盤１２０の遊技領域１２４を前方から透視可能な略円形の開口窓８１が形成されている。また、ガラス扉８０の後側には開口窓８１よりも大きな矩形枠状をなす窓枠８２が設けられ、その窓枠８２にはガラス板、透明樹脂板等の透明板８３が装着されている。
また、ガラス扉８０の前面の略全体は、ランプ等が内設された前面装飾部材によって装飾され、同ガラス扉８０の前面の下部には上皿８６が形成されている（図２参照）。
【００２０】
［施錠装置について］
図１、図５及び図６に示すように、前枠体３５のヒンジ機構と反対側の自由端側の後側には、外枠１０に対し本体枠３０を施錠する機能と、本体枠３０に対しガラス扉８０を施錠する機能とを兼ね備えた施錠装置９０が装着されている。
すなわち、この実施例において、施錠装置９０は、外枠１０に設けられた閉止具１７に係脱可能に係合して本体枠３０を閉じ状態に施錠する上下複数の本体枠施錠フック９３と、ガラス扉８０の自由端側の後側に設けられた閉止具８９に係脱可能に係合してガラス扉８０を閉じ状態に施錠する上下複数の扉施錠フック９６と、遊技機の前方から鍵が挿入されて解錠操作可能に、前枠体３５及び下部前面板４４を貫通して露出されたシリンダー錠９８と、を備えている。
そして、シリンダー錠９８の鍵穴に鍵が挿入されて一方向に回動操作されることで本体枠施錠フック９３と外枠１０の閉止具１７との係合が外れて本体枠３０が解錠され、これとは逆方向に回動操作されることで、扉施錠フック９６とガラス扉８０の閉止具８９との係合が外れてガラス扉８０が解錠されるようになっている。
【００２１】
［本体枠の遊技盤装着枠と遊技盤について］
図１と図４に示すように、本体枠３０の遊技盤装着枠１００は、前枠体３５の後側に設けられかつ遊技盤１２０が前方から着脱交換可能に装着されるようになっている。
遊技盤１２０は、遊技盤装着枠１００の前方から嵌込まれる大きさの略四角板状に形成されている。遊技盤１２０の盤面（前面）には、外レール１２２と内レール１２３とを備えた案内レール１２１が設けられ、その案内レール１２１の内側に遊技領域１２４が区画形成されている。
遊技盤１２０には、その遊技領域１２４内において、遊技に関する役物装置、例えば、センタ役物と呼ばれる役物装置１４０、図柄表示装置１４５、入賞装置等の役物装置や風車器、誘導釘、ランプ装飾部材等の各種の装備品が配設されている。これら各種の装備品のうち、所定の装備品の後部、この実施例では、役物装置１４０の役物本体１４１の後部が遊技盤１２０の後側に突出して配設される。
また、遊技盤１２０の前面には、その案内レール１２１の外側領域において、合成樹脂製の前構成部材１２０ａが装着されている。
【００２２】
この実施例において、役物装置１４０の役物本体１４１には、略中央部に開口窓が形成され、図柄表示装置（例えば、液晶表示器、ＥＬ表示器，プラズマ表示器，ＣＲＴ等）１４５の表示面は役物本体１４１の後側においてその開口窓に臨んで装着されている。
そして、役物本体１４１は、遊技盤１２０の中央部に貫設された組付孔に嵌込まれ、同役物本体１４１の後部及び図柄表示装置１４５の図柄制御基板１４６を有する図柄制御基板ボックス１４６は遊技盤１２０の後側に突出して配設されている（図８参照）。
【００２３】
遊技盤１２０の後側下部には、その中央部から下部にわたる部分において、各種入賞装置に流入した球を受けかつその球を所定位置まで導く集合樋としての機能とボックス装着部としての機能を兼ね備えたボックス装着台１５０が設けられている。このボックス装着台１５０には、音声制御基板、ランプ制御基板等の副制御基板１５６が収納された副制御基板ボックス１５５が装着され、その副制御基板ボックス１５５の後側に重ね合わされた状態で、主制御基板１５２が収納された主制御基板ボックス１５１が装着されている。
さらに、遊技盤１２０の後側に対しボックス装着台１５０、副制御基板ボックス１５５及び主制御基板ボックス１５１がそれぞれ装着された状態において、本体枠３０の遊技盤装着枠１００の前方から遊技盤１２０を嵌込んで装着できるように、遊技盤１２０の外郭より外側にはみ出すことなくボックス装着台１５０、副制御基板ボックス１５５及び主制御基板ボックス１５１が配置されている。
【００２４】
なお、主制御基板１５２は遊技の進行を制御し、副制御基板１５６は周辺機器を制御する。すなわち主制御基板１５２からの遊技に関する信号を受けた副制御基板１５６は、図柄制御基板１４６を介して図柄表示装置１４５に表示を行う。また、図柄制御基板１４６は、遊技用信号を表示用信号に変換して図柄表示装置１４５に伝達する。図柄表示装置１４５には大当たりの抽選図柄が変動表示可能となっている。
【００２５】
［本体枠の機構装着体、球タンク及びタンクレールについて］
図１０と図１１に示すように、本体枠３０の機構装着体１６０には、タンク装着部１６１、レール装着部１７０、払出装置装着部２００等がそれぞれ形成され、タンク装着部１６１には球タンク１６５が装着されている。
球タンク１６５は、透明な合成樹脂材よりなり、島設備から供給される多数の球が貯留可能な上方に開口する箱形状に形成されている。そして、球タンク１６５の球の貯留状態が球タンク１６５の後側壁を透して視認可能となっている。
また、球タンク１６５の底板部１６７の後側隅部には球を放出する放出口１６８が形成されるとともに、底板部１６７は放出口１６８に向けて下傾する傾斜面に形成されている。
【００２６】
図１０と図１１に示すように、本体枠３０の機構装着体１６０には、そのタンク装着部１６１に下方に接近してレール装着部１７０が一体に形成され、そのレール装着部１７０にレール構成部材１７６が装着されることでタンクレール１７１が構成されるようになっている。
すなわち、この実施例において、レール装着部１７０は、本体枠３０の上部横方向部分が所定深さ凹まされた状態で形成されており、その凹部の奥側壁をタンクレール１７１の前壁部１７２とし、その凹部の下縁部に沿って一端（図１０に向かって左端）から他端（図１０に向かって右端）に向けて下傾する傾斜状のレール棚１７４が形成されている。そして、レール棚１７４の横方向に延びる上向き面をレール受け部１７３としている。
【００２７】
図７と図８に示すように、レール装着部１７０に装着されてタンクレール１７１を構成するレール構成部材１７６は、レール装着部１７０の前壁部１７２との間にレール通路を構成する後壁部１７７と、傾斜状をなす下板部１７８と、その下板部１７８の上面の前後方向中央部に沿って突設されレール通路を前後複数列（この実施例では前後２列）に区画する仕切り壁１７９とを一体に備えて形成されている。このレール構成部材１７６は、レール装着部１７０に対し適宜の取付手段によって装着され、これによって、前後複数列のレール通路を備えたタンクレール１７１が構成されるようになっている。
そして、球タンク１６５の放出口１６８から放出（自重によって落下）された球がタンクレール１７１の前後複数列のレール通路の一端部においてそれぞれ受けられた後、球が自重によってレール通路に沿って転動することでレール通路の他端部に向けて流れるようになっている。
また、この実施例において、レール構成部材１７６は、透明な合成樹脂材より形成され、これによって、レール通路内の球の流れ状態が、レール構成部材１７６の後壁部１７７を透して視認可能となっている。
【００２８】
図８に示すように、タンクレール１７１（レール装着部１７０）の前壁部１７２は、遊技盤１２０の後側に突出する装備品、例えば、役物装置１４０の役物本体１４１の後部の上端部との干渉を避けるための第１空間部Ｓ１を隔てた状態で設けられている。
また、この実施例において、本体枠３０の後端部をなるレール棚１７４の後端と、タンクレール１７１の後壁部１７７は、球タンク１６５の後側壁と略同一面をなしている。
言い換えると、球タンク１６５の後壁部１６９に対しタンクレール１７１の後壁部１７７が略同一面となる位置までタンクレール１７１が遊技盤１２０の後面より後方に離隔して配置されている。これによって、遊技盤１２０の後側とタンクレール１７１の前壁部１７２との間に役物装置１４０の役物本体１４１の後部との干渉を避けるための第１空間部Ｓ１が設けられるようになっている。
【００２９】
また、図１１に示すように、タンクレール１７１の上方には、レール通路を流れる球が上下に重なることなく整列させる整流体１９０がその上部において軸１９１を中心として揺動可能に装着されている。この整流体１９０には、その中央部から下部において錘が設けられている。
【００３０】
［払出装置装着部及び球払出装置について］
図１０と図１１に示すように、本体枠３０の機構装着体１６０の片側（図１０に向かって右側）寄りの上下方向には、次に述べる球払出装置（球払出ユニット）２１０に対応する縦長の払出装置装着部２００が形成されている。払出装置装着部２００は、後方に開口部をもつ凹状に形成されている。
また、図９に示すように、払出装置装着部２００の段差状をなす奥壁部（前壁部）２０４の所定位置には、球払出装置２１０の払出用モータ２２０が突出可能な開口部２０５が形成されている。
【００３１】
図９と図１１に示すように、払出装置装着部２００の凹部に球払出装置２１０がその装置本体２１１において装着された状態において、装置本体２１１と遊技盤１２０との間（奥壁部２０４と遊技盤１２０後側との間）には、第１空間部Ｓ１と前後方向に略同一レベルにおいて第２空間部Ｓ２が設けられている。これによって、レール通路と球通路とが前後方向に略同一レベルで配置されている。
また、本体枠３０の後端、すなわち払出装置装着部２００の周壁部後端、レール棚１７４の後端、球タンク１６５、タンクレール１７１及び球払出装置２１０の装置本体２１１のそれぞれの後面は略同一面をなしている（図１１参照）。
【００３２】
図１１と図１２に示すように、球払出装置２１０は、その装置本体２１１が払出装置装着部２００の凹部と略同じ大きさの縦長のボックス形状をなし、その装置本体２１１に払い出しに関する各種部品が装着されることでユニット化されている。すなわち、球払出装置２１０は、その装置本体２１１において、払出装置装着部２００の凹部の後方開口部から嵌込まれて適宜の取付手段（例えば、弾性クリップ、係止爪、ビス等の取付手段）によって装着されるようになっている。
【００３３】
この実施例において、図１２〜図１５に示すように、球払出装置２１０の装置本体（ユニット本体）２１１は、前構成体２１１ａ、中間構成体２１１ｂ及び後構成体２１１ｃを備え、これら各構成体によってタンクレール１７１の前後のレール通路に出口にそれぞれ連通する流入口を有する球通路２１２が前後複数列（この実施例では前後２列）に区画されて形成されている。
また、図１３に示すように、装置本体２１１には、その内部に形成された前後複数列の球通路２１２の下流部が二股状に分岐されて前後複数列の賞球及び貸球用球通路２１３と球抜き用球通路２１４とがそれぞれ形成されている。そして賞球及び貸球用球通路２１３と球抜き用球通路２１４との分岐部には、球を賞球及び貸球用球通路２１３と球抜き用球通路２１４とのいずれかに振り分けて払い出すための回転体よりなる払出部材２１５が正逆回転可能に配設されている。
また、球払出装置２１０の装置本体２１１の少なくとも後構成体２１１ｃ（この実施例において、中間構成体２１１ｂ及び後構成体２１１ｃ）は、透明な合成樹脂材により形成され、これによって、装置本体２１１の球通路２１２内の球の流れ状態が後構成体２１１ｃ及び中間構成体２１１ｂを透して視認可能となっている。
【００３４】
また、この実施例において、図１４と図１５に示すように、前後複数列の球通路２１２の分岐部近傍には、球通路２１２を流れる球を払出部材２１５の直上に流下案内する左右対をなすガイド体２１８が軸２１８ａを中心として回動可能に配設されている。これら、対のガイド体２１８の両軸２１８ａの後端部２１８ｂが後構成体２１１ｃの後面から所定長さだけ突出されている。そして、両軸２１９の後端部２１８ｂに跨ってばね２１９が張設されている。これによって、対のガイド体２１８が所定の球案内姿勢に保持されるようになっている。
図１３と図１４に示すように、後構成体２１１ｃの後側下部には、対のガイド体２１８の両軸２１９の後端部２１８ｂやこれら両軸２１９の後端部に跨って張設されたばね２１９を覆って保護するためのカバー体２１６が開閉可能に又は着脱可能に装着されている。
そして、カバー体２１６を開放又は取り外すことによって、対のガイド体２１８の作動不良、例えば、ばね２１９の両端部の掛け止め作業や交換作業が容易に行われるようになっている。
また、この実施例において、カバー体２１６は、装置本体２１１の球通路２１２内の球の流れを後構成体２１１ｃを通して視認する際に妨害物となることがないように、透明な合成樹脂材により形成されている。
【００３５】
［球払出装置の前構成体前側に配置の中継用回路基板及び払出モータについて］
図１２と図１４に示すように、装置本体２１１の前構成体２１１ａの前側には、後述する払出制御基板６９から送信される払出用信号を払出用モータ２２０に伝達する中継用回路基板２１７が配置されている。
また、装置本体２１１の前構成体２１１ａの前側には、中継用回路基板２１７を収納する空間部を隔ててモータ用取付板（ブラケット）２２１が装着されている。
【００３６】
図１４に示すように、取付板２２１には、払出部材２１５をその中心部の回転軸２２４において正逆方向に回転駆動するための電動アクチュエータとしての払出用モータ２２０が装着されている。この払出用モータ２２０は、払出装置装着部２００の奥壁部２０４の開口部２０５を通して第２空間部Ｓ２内に突出している（図９参照）。
そして、払出用モータ２２０の作動による回転軸２２４の正回転時には、これに基づいて正回転する払出部材２１５によって球が賞球及び貸球用球通路２１３に払い出される。
また、払出制御基板ボックス６８に収納の払出制御基板６９上に配置された図示しない球抜きスイッチを操作することで、払出用モータ２２０によって回転軸２２４が逆回転し、これに基づいて逆回転する払出部材２１５によって球が球抜き用球通路２１４に排出されるようになっている。
【００３７】
また、この実施例において、図１２に示すように、払出用モータ２２０の取付板２２１の左右両側部には同払出用モータ２２０の両側方に沿って側壁部２２３が形成されている。そして、これら両側壁部２２３によって払出用モータ２２０が保護されるとともに、同払出用モータ２２０の熱が取付板２２１の両側壁部２２３に伝導されて放熱され、これによって払出用モータ２２０の過熱による損傷を防止するようになっている。
【００３８】
また、図１４に示すように、払出用モータ２２０の回転軸２２４の軸上には、前構成体２１１ａの前側に位置しかつ光学式検出器（フォトセンサ）２２６によって回転状態が検出される回転盤よりなる被検出体２２５が回転軸２２４と一体状をなして設けられている。この被検出体２２５の外周部には複数のスリット、切欠部等の被検出部が設けられている。
また、光学式検出器２２６は、中継用回路基板２１７の所定位置に設置されており、被検出体２２５の外周部が挿通される溝を隔てて発光素子と受光素子とを対向状に備えている。
【００３９】
［本体枠の後側下部の装備について］
図５と図１１に示すように、本体枠３０の前枠体３５の後側において、遊技盤装着枠１００よりも下方に位置する前枠体３５の後下部領域の片側（図５に向かって左側）には、発射レール４２の下傾端部の発射位置に送られた球を発射するための発射ハンマー６３、その発射ハンマー６３を作動する発射モータ６２等が取付基板６１に組み付けられてユニット化された発射装置ユニット６０が装着されている。
また、図５と図１１に示すように、前枠体３５の後下部領域の略中央部には、電源基板６７を有する電源基板ボックス６６が装着され、その電源基板ボックス６６の後側に重ね合わされた状態で払出制御基板６９を有する払出制御基板ボックス６８が装着されている。払出制御基板６９は、球（遊技媒体）を払い出す数を記憶するＲＡＭを備え、主制御基板１５２から送信される払出用信号に従って球を払い出す制御信号を中継用回路基板２１７に伝達して払出用モータ２２０を作動制御するようになっている。
【００４０】
［後カバー体について］
遊技盤１２０後面に配置された図柄制御基板ボックス１４６及び主制御基板ボックス１５１の後端部は機構装着体１６０の中央部に開口された窓開口部に向けて突出している。
そして、図３〜図５に示すように、機構装着体１６０の窓開口部の一側壁を構成する側壁部と他側壁を構成する払出装置装着部２００の片側壁との間には、不透明な合成樹脂材によって略方向の箱形状に形成された後カバー体２５０がカバーヒンジ機構２４５によって開閉並びに着脱可能に装着されている。
【００４１】
図３〜図５に示すように、後カバー体２５０は、略四角形状の後壁部２５１と、その後壁部２５１の外周縁から前方に向けて突出された周壁部２５２と、一体を備えている。  後カバー体２５０の周壁部２５２のうち、一側の壁部２５２ａには、機構装着体１６０の側壁部の上下及び中間の計３箇所に形成されたヒンジ体２４６のヒンジ孔の上方からそれぞれ着脱可能に嵌込まれるヒンジピン２４７ａを下向きに有するヒンジ体２４７が一体に形成されている。
また、後カバー体２５０の周壁部２５２のうち、他側の壁部２５２ｂには、払出装置装着部２００の片側壁に形成された係止孔に弾性的に係合可能な係止爪を有する弾性閉止体２５３が一体に形成されている。
【００４２】
すなわち、後カバー体２５０は、その上下及び中間のヒンジ体２４７の各ヒンジピン２４７ａが機構装着体１６０の側壁部のヒンジ体２４６のヒンジ孔の上方からそれぞれ嵌込まれる。この状態で、ヒンジピン２４７ａを中心として後カバー体２５０が機構装着体１６０の他側向けて回動されながら、その弾性閉止体２５３を払出装置装着部２００の片側壁の係止孔に差し込んで弾性的に係合させることで、機構装着体１６０の後側に後カバー体２５０が閉じ状態で保持される。
そして、後カバー体２５０によって、遊技盤１２０後面の図柄制御基板ボックス１４６全体及び主制御基板ボックス１５１の略中間部から上端にわたる部分が後カバー体２５０によって覆われるようになっている。これによって、主制御基板ボックス１５１の上部に露出された主制御基板１５２の基板コネクタ（主として図柄制御基板１４６と接続するための基板コネクタ）が後方から視認不能に隠蔽されている。
【００４３】
また、主制御基板ボックス１５１の略中間部から下端にわたる部分は後カバー体２５０によって覆われることなく露出されている。そして、主制御基板ボックス１５１の下部には、その主制御基板１５２上に配置された検査用コネクタ１５２ａが露出されており、後カバー体２５０が閉じられた状態で主制御基板１５２上の検査用コネクタ１５２ａに基板検査装置（図示しない）を接続して検査可能となっている。
【００４４】
図５と図１６に示すように、後カバー体２５０には、多数の放熱孔２５５、２５６、２５７、２５８が貫設されており、これら多数の放熱孔２５５、２５６、２５７から内部の熱が放出されるようになっている。
この実施例において、後カバー体２５０には、その周壁部２５２から後壁部２５１に延びる多数のスリット状の放熱孔２５５が貫設され、後壁部２５１の略中間高さ位置から上部においては多数の長円形、楕円形等の放熱孔２５６が貫設され、後壁部２５１の下部には多数の長円形、楕円形等の放熱孔２５７と所定数（図１６では左右２個）の横長四角形状の放熱孔２５８が貫設されている。
【００４５】
また、横長四角形状の放熱孔２５８は、主制御基板ボックス１５１の封印ねじ（封印部材）１５４によって封印される複数の並列状の封印部１５３の列の大きさ及び配設位置に対応する大きさ及び位置に貫設されている。これによって、不透明な後カバー体２５０が閉じられた状態であっても、主制御基板ボックス１５１の複数の並列状の封印部１５３が放熱孔２５８の部分において視認可能に露出される。このため、後カバー体２５０が閉じられた状態であっても、主制御基板ボックス１５１の封印部１５３の封印状態を容易に視認することができる。
また、不透明な合成樹脂材は、透明な合成樹脂材と比べ、リサイクル使用される合成樹脂材を材料として用いることが容易であるため、後カバー体２５０を安価に製作することができる。
【００４６】
図４と図５に示すように、後カバー体２５０の周壁部２５２のうち、上側壁部２５２ｃの所定位置（この実施例では左右２箇所）には、電源コード２５９を適宜に折り畳んだ状態で保持する略Ｃ字状でかつ弾性変形可能なコード保持体２５８が上方のタンクレール１７１の後壁面（レール構成部材１７６の後壁面）に向けて延出されている。
このコード保持体２５８の先端部には、同コード保持体２５８を弾性変形させて電源コード２５９を取り外すためのつまみが形成されている。
【００４７】
電源コード２５９は、その一端２５９ａが分電基板２３６の基板コネクタ２３６ａに取り外し可能に接続され、他端の電源プラグ２５９ｂが電源コンセントに差し込まれる。
前記したように、後カバー体２５０にコード保持体２５８を一体に形成して電源コード２５９を保持することで、遊技機を運搬・保管する際に電源コード２５９がぶらついて邪魔になったり、異物に引っ掛かる不具合を防止することができる。
分電基板２３６は、基板ケース２３７に収納されて本体枠３０の機構装着体１６０の上部片隅部近傍に装着されている（図９参照）。
なお、分電基板２３６は、電源を電源基板６７と後述するインタフェース基板２８０に分配供給するものである。
【００４８】
［本体枠の後側下部の下皿用球誘導体について］
図１１、図１８及び図１９に示すように、本体枠３０の前枠体３５の後下部領域の他側寄り部分（ヒンジ寄り部分）には、そのスピーカボックス部５０の後段差部の凹み部分において下皿用球誘導体２６０が装着されている。この下皿用球誘導体２６０は、球払出装置２１０の賞球及び貸球用球通路２１３から上皿連絡路（図示しない）を経て上皿８６に払い出された球が満杯になったときに、上皿連絡路の球を下皿４５に導くためのものである。
【００４９】
［下皿用球誘導体の満タン作動体及び満タン検出器について］
図１９〜図２１に示すように、下皿用球誘導体２６０は、その後壁内面に上皿連絡路と下皿４５とを連通する誘導路２６１を区画形成する通路壁２６２が突設されている。この通路壁２６２の上皿連絡路に近い入口近傍（上流側近傍）には切り欠き状の開口部２６３が形成されている。
また、下皿用球誘導体２６０には、その誘導路２６１の外側から開口部２６３を塞ぐようにして作動体（満タン作動体）２７０が配設されるとともに、その作動体２７０の動きによって、下皿４５から誘導路２６１に至る球が満杯状態であることを検出する検出器（満タン検出器）が配設されている。
この実施例において、検出器として光学式検出器２６５が用いられ、その光学式検出器２６５の発光素子２６６と受光素子２６７は、次に詳述する作動体２７０の被検出部２７５が挿通される溝を隔てて対向状に配置されている。
【００５０】
図１９〜図２１に示すように、作動体２７０は、ボス部２７１と、そのボス部２７１の外周面から開口部２６３を塞ぐようにして下向きに延出されかつ下端部に開口部２６３の下端縁に係合するストッパ部２７３を有する本体部２７０ａと、ボス部２７１の後端部寄りの下部外周と本体部２７０ａにそれぞれ結合された状態でボス部２７１を中心として略９０度の円弧状をなして延出された円弧部２７６と、その円弧部２７６の外周部から前側に向けて突出されかつ光学式検出器２６５の発光素子２６６と受光素子２６７との間の溝内に挿通可能な略円弧状の被検出部（遮光部）２７５と、を一体に備えている。
【００５１】
図２０に示すように、下皿用球誘導体２６０の後壁内面の所定位置に対し、作動体２７０がそのボス部２７１において軸２７２を中心として揺動可能に装着された状態において、同作動体２７０は、通常時には自重によってストッパ部２７３が開口部２６３の下端縁に係合する非作動位置に配置される。作動体２７０の非作動状態において、同作動体２７０の被検出部（遮光部）２７５が光学式検出器２６５の発光素子２６６と受光素子２６７との間の溝に挿通され、これによって発光素子２６６が発する光を遮光するようになっている。
【００５２】
図２１に示すように、下皿から誘導路２６１に溜まる球Ｂが満杯となったとき（所定量を越えたとき）には、その誘導路２６１内の球Ｂの荷重によって作動体２７０が図２１に向かって反時計回り方向に所定角度（例えば、円弧部２７６の上端が下皿用球誘導体２６０の上壁部に当接する角度）だけ回動（作動）される。そして、作動体２７０の被検出部（遮光部）２７５が光学式検出器２６５の発光素子２６６と受光素子２６７との間の溝から退避することで、発光素子２６６が発する光が受光素子２６７において受けられ、これによって誘導路２６１内の球Ｂが満杯となったことを検出するようになっている。
【００５３】
前記したように、誘導路２６１内の球Ｂの荷重によって作動体２７０が作動され、その被検出部（遮光部）２７５が光学式検出器２６５の発光素子２６６と受光素子２６７との間の溝から退避されることで、誘導路２６１内の球Ｂが満杯状態であることを的確に検出することができる。
なお、光学式検出器２６５の検出信号は払出制御基板６９に伝達され、これに基づいて払出制御基板６９から出力される制御信号によって払出モータ２２０及び発射モータ６２が停止される。
また、光学式検出器２６５の検出信号が払出制御基板６９に伝達されると、遊技機の所定位置に設置された報知手段（図示しない）が作動し、例えば、ランプが点灯又は点滅したり、あるいはスピーカが作動することによって、下皿から誘導路２６１に溜まる球Ｂが満杯であることが報知される。
【００５４】
また、この実施例において、図１１と図１８に示すように、下皿用球誘導体２６０の後壁外面には、インタフェース基板２８０を収納している基板ボックス２８１が装着されている。なお、インタフェース基板２８０は、遊技機に隣接して設置される球貸機と払出制御基板６９との間に介在され、球貸に関する信号を球貸機と払出制御基板６９との間で送受信可能に電気的に接続するようになっている。
【００５５】
［この実施例に係る遊技機の作用効果について］
上述したように構成されるこの実施例に係る遊技機において、球払出装置２１０の装置本体２１１の少なくとも後構成体２１１ｃは、透明な合成樹脂材により形成され（この実施例において、中間構成体２１１ｂ及びカバー体２１６も透明な合成樹脂材により形成される）、前構成体２１１ａの前側に中継用回路基板２１７と払出モータ２２０がそれぞれ配置されている（図１２〜図１４参照）。これによって、中継用回路基板２１７や払出モータ２２０が球払出装置２１０の後方からの視界の妨害物となったり、あるいは、中継用回路基板２１７や払出モータ２２０によって球通路２１２や払出部材２１５が隠されることがない。このため、球通路２１２の球の流れ状況や払出部材２１５の動きを後構成体２１１ｃ（及び中間構成体２１１ｂ）を透して容易に視認することができる。
また、カバー体２１６が装着される球払出装置２１０の下部近傍においては、球通路２１２の球の流れ状況や払出部材２１５の動きをカバー体２１６、後構成体２１１ｃ、及び中間構成体２１１ｂ透して容易に視認することができる。
【００５６】
しかも、前構成体２１１ａは不透明な合成樹脂材により形成され、その前側に中継用回路基板２１７や払出モータ２２０が装着されることで、中継用回路基板２１７や払出モータ２２０が球払出装置２１０の後方からの視界から目視不能に隠蔽される。
すなわち、中継用回路基板２１７上の回路構成部品や払出モータ２２０が球払出装置２１０の後方から目視されることがない。このため、前構成体２１１ａを背景として後構成体２１１ｃ（及び中間構成体２１１ｂ）を透して球通路２１２の球の流れ状況や払出部材２１５の動きを後構成体２１１ｃ（及び中間構成体２１１ｂ）を透して容易に視認することができる。この結果、球払出装置２１０の保守・点検作業を効率よく行うことができる。
【００５７】
また、この実施例において、払出用モータ２２０の回転軸２２４の軸上には、前構成体２１１ａの前側に位置し回転盤よりなる被検出体２２５が回転軸２２４と一体状をなして設けられている。さらに、被検出体２２５が被検出部を検出して払出部材２１５の回転状態を確認する光学式検出器（フォトセンサ）２２６が前構成体２１１ａの前側に位置して配置されている。
前記したように、被検出体２２５と光学式検出器２２６とを配置することで、球払出装置２１０の後方から後構成体２１１ｃ（及び中間構成体２１１ｂ）を透して球通路２１２に入射する光は不透明な前構成体２１１ａにおいて遮光される。このため、球払出装置２１０の後方からの光によって光学式検出器２２６が誤動作される不具合を防止することができる。
なお、光学式検出器２２６によって被検出体（すなわち、払出モータ２２０、回転軸２２４及び払出部材２１５）２２５の回転不良が検出されると、その検出信号が払出制御基板６９に伝達され、これに基づいて払出制御基板６９から出力される制御信号によって払出モータ２２０が回転不良の動作を開始する。例えば、球噛み等による回転不良を想定して払出モータ２２０が所定時間において、正逆回転を繰り返す動作が開始され、これによって球噛み等による回転不良が解消されるようになっている。
また、光学式検出器２２６の検出信号が払出制御基板６９に伝達されると、遊技機の所定位置に設置された報知手段（図示しない）が作動し、例えば、ランプが点灯又は点滅したり、あるいはスピーカが作動することによって、払出モータ２２０、回転軸２２４及び払出部材２１５の回転不良（作動不良）が報知される。また、前記した検出信号（異常信号）をホールコンピュータに出力することも可能である。
【００５８】
また、この実施例において、球タンク１６５及びタンクレール１７１のレール構成部材１７６は透明な合成樹脂材により形成されている。
したがって、球タンク１６５の球貯留部、タンクレール１７１のレール通路及び球払出装置２１０の球通路２１２を連続あるいは断続的に流れる球の状況を、球タンク１６５及びタンクレール１７１の各後壁部、あるいは球払出装置２１０の後構成体２１１ｃを透してそれぞれ視認することができる。このため、球タンク１６５の球貯留部、タンクレール１７１のレール通路及び球払出装置２１０の球通路２１２内で発生する球噛み、球詰まり等の不具合を容易に発見することができ、その不具合の解消作業が容易となる。
【００５９】
［この発明の他の実施例について］
なお、この発明は前記実施例に限定するものではない。
例えば、実施例においては、前枠体３３、遊技盤装着枠６０及び機構装着体８０が合成樹脂材によって一体成形されることで本体枠３０が構成される場合を例示したが、前枠体３１、遊技盤装着枠６０及び機構装着体８０がそれぞれ別個の形成され、これら各部材が相互に組み付けられて構造であってもこの発明を実施することができる。
また、球払出装置２１０の払出部材２１５を作動する電動アクチュエータしては払出モータ２２０以外にソレノイド（ロータリソレノイドを含む）等であってもこの発明を実施することができる。
また、前記実施例においては、後構成体２１１ｃの後側下部に透明なカバー体２１６が開閉可能に配置される場合を例示したが、カバー体２１６は必ずしも設けなくてもよい。
また、この発明の球払出装置の装置本体を構成する後構成体においては、前記実施例で述べた後構成体２１１ｃと中間構成体２１１ｂとを含むものであり、また、球通路が単列である場合においても採用することができ、この場合には、前記実施例で述べた中間構成体２１１ｂがない構造となる。
また、この発明の球払出装置の前構成体は、実施例で述べた前構成体２１１ａに相当する。
【符号の説明】
【００６０】
１０  外枠
３０  本体枠
３５  前枠体
１００  遊技盤装着枠
１６０  機構装着体
１６５  球タンク
１７１  タンクレール
２００  払出装置装着部
２１０  球払出装置
２１１  装置本体
２１１ａ  前構成体
２１１ｂ  中間構成体
２１１ｃ  後構成体
２１２  球通路
２１５  払出部材
２１７  中継用回路基板
２２０  払出モータ（電動アクチュエータ）
２２４  回転軸
２２５  被検出体
２２６  光学式検出器
【図１】
2010099517.tif 000003
【図２】
2010099517.tif 000004
【図３】
2010099517.tif 000005
【図４】
2010099517.tif 000006
【図５】
2010099517.tif 000007
【図６】
2010099517.tif 000008
【図７】
2010099517.tif 000009
【図８】
2010099517.tif 000010
【図９】
2010099517.tif 000011
【図１０】
2010099517.tif 000012
【図１１】
2010099517.tif 000013
【図１２】
2010099517.tif 000014
【図１３】
2010099517.tif 000015
【図１４】
2010099517.tif 000016
【図１５】
2010099517.tif 000017
【図１６】
2010099517.tif 000018
【図１７】
2010099517.tif 000019
【図１８】
2010099517.tif 000020
【図１９】
2010099517.tif 000021
【図２０】
2010099517.tif 000022
【図２１】
2010099517.tif 000023